(57)【要約】【課題】簡易な構成で、感光体の外周面の電荷を効果的に除去することができる除電装置およびプロセスカートリッジを提供すること。【解決手段】除電装置１０では、感光ドラム７の外周面に導光部材２０が対向配置されており、感光ドラム７の中心軸方向（幅方向）における側方に光源２２が配置されている。そして、両面接着テープ２４が、導光部材２０と、後面２０Ｂが感光ドラム７へ露出されるように導光部材２０を被覆するカバー２１とを互いに接着する。両面接着テープ２４は、不織布を基材としていることから、その表面に微小な凹凸が形成されており、また、導光部材２０の後面２０Ｂに対する感光ドラム７の反対側に配置されている。導光部材２０に導かれる光は、両面接着テープ２４の表面の凹凸に当たって拡散することによって進行方向が変えられて後面２０Ｂへ向かい、感光ドラム７に対して積極的に照射される。【選択図】図２
2010008570.tif 000002
【特許請求の範囲】
【請求項１】
感光体の外周面の電荷を除去する除電装置であって、
前記感光体の中心軸方向における側方に配置される光源と、
前記感光体の外周面に対向配置され、前記光源からの光を前記感光体に対して前記中心軸方向に亘って照射できるように導く導光部材と、
前記導光部材において少なくとも前記感光体に対向する対向面が前記感光体へ露出されるように前記導光部材を被覆するカバーと、
不織布を基材とし、前記対向面に対する前記感光体の反対側に配置され、前記導光部材と前記カバーとを互いに接着する両面接着テープと
を備えていることを特徴とする、除電装置。
【請求項２】
前記導光部材に対する前記両面接着テープの接着面は、前記光源から離れるに従って、前記光源の光軸方向と直交する方向へ広くなることを特徴とする、請求項１に記載の除電装置。
【請求項３】
前記対向面は曲面であることを特徴とする、請求項１または２に記載の除電装置。
【請求項４】
画像形成装置本体に装備されるプロセスカートリッジであって、
感光体と、
前記感光体の外周面に対向配置されており、前記画像形成装置本体において前記感光体の中心軸方向における側方に配置された光源からの光を前記感光体に対して前記中心軸方向に亘って照射できるように導く導光部材と、
前記導光部材において少なくとも前記感光体に対向する対向面が前記感光体へ露出されるように前記導光部材を被覆するカバーと、
不織布を基材とし、前記対向面に対する前記感光体の反対側に配置され、前記導光部材と前記カバーとを互いに接着する両面接着テープと
を備えていることを特徴とする、プロセスカートリッジ。
【請求項５】
前記導光部材に対する前記両面接着テープの接着面は、前記光源から離れるに従って、前記光源の光軸方向と直交する方向へ広くなることを特徴とする、請求項４に記載のプロセスカートリッジ。
【請求項６】
前記対向面は曲面であることを特徴とする、請求項４または５に記載のプロセスカートリッジ。
【発明の詳細な説明】
【技術分野】
【０００１】
本発明は、画像形成装置において感光体の外周面の電荷を除去する除電装置およびプロセスカートリッジに関する。
【背景技術】
【０００２】
感光体を備える電子写真方式の画像形成装置では、一般的に、帯電された感光体の外周面に形成された静電潜像が現像剤で現像されて現像剤像になり、この現像剤像が記録媒体に転写されることで画像形成が行われる。そして、記録媒体への現像剤像の転写が終わる毎に、次回の画像形成に備えて、感光体の外周面に残留した電荷を除去する必要がある。
【０００３】
そこで、電荷を除去するための装置として、たとえば、特許文献１に記載の光除電部は、感光体ドラムの中心軸に沿って延びつつ感光体ドラムの外周面に対向配置される光ファイバーと、感光体ドラムの中心軸方向における側方に配置され、光源となるランプとを主に備えている。
【０００４】
光ファイバーは、棒状の透明ガラス等であるコアと、コアを被覆する筒状の透明ガラス等であるクラッドと、クラッドの外周に貼り付けられた反射テープとを主に備えている。ここで、コアの外周面には、微細な凹凸処理が施された拡散面が形成されている。
【０００５】
このような光除電部が動作する場合には、まず、ランプが発する光が光ファイバー内に入り、反射テープによって拡散面へ反射される。次いで、この光は、拡散面によってコア内へ拡散された後、コアとクラッドとの境界面で反射しながら感光体ドラムの外周面へ照射される。これにより、感光体ドラムの外周面が露光され、感光体ドラムの外周面に残留した電荷が除去される。
【特許文献１】特開昭６２−１２７７８６号公報
【発明の開示】
【発明が解決しようとする課題】
【０００６】
特許文献１に記載の光除電部では、凹凸処理を施すことによってコアに拡散面を形成しなければならないので、構成が複雑になる。
【０００７】
本発明の目的は、簡易な構成で、感光体の外周面の電荷を効果的に除去することができる除電装置およびプロセスカートリッジを提供することにある。
【課題を解決するための手段】
【０００８】
上記目的を達成するため、請求項１に記載の発明は、感光体の外周面の電荷を除去する除電装置であって、前記感光体の中心軸方向における側方に配置される光源と、前記感光体の外周面に対向配置され、前記光源からの光を前記感光体に対して前記中心軸方向に亘って照射できるように導く導光部材と、前記導光部材において少なくとも前記感光体に対向する対向面が前記感光体へ露出されるように前記導光部材を被覆するカバーと、不織布を基材とし、前記対向面に対する前記感光体の反対側に配置され、前記導光部材と前記カバーとを互いに接着する両面接着テープとを備えていることを特徴としている。
【０００９】
また、請求項２に記載の発明は、請求項１に記載の発明において、前記導光部材に対する前記両面接着テープの接着面は、前記光源から離れるに従って、前記光源の光軸方向と直交する方向へ広くなることを特徴としている。
【００１０】
また、請求項３に記載の発明は、請求項１または２に記載の発明において、前記対向面は曲面であることを特徴としている。
【００１１】
また、請求項４に記載の発明は、画像形成装置本体に装備されるプロセスカートリッジであって、感光体と、前記感光体の外周面に対向配置されており、前記画像形成装置本体において前記感光体の中心軸方向における側方に配置された光源からの光を前記感光体に対して前記中心軸方向に亘って照射できるように導く導光部材と、前記導光部材において少なくとも前記感光体に対向する対向面が前記感光体へ露出されるように前記導光部材を被覆するカバーと、不織布を基材とし、前記対向面に対する前記感光体の反対側に配置され、前記導光部材と前記カバーとを互いに接着する両面接着テープとを備えていることを特徴としている。
【００１２】
また、請求項５に記載の発明は、請求項４に記載の発明において、前記導光部材に対する前記両面接着テープの接着面は、前記光源から離れるに従って、前記光源の光軸方向と直交する方向へ広くなることを特徴としている。
【００１３】
また、請求項６に記載の発明は、請求項４または５に記載の発明において、前記対向面は曲面であることを特徴としている。
【発明の効果】
【００１４】
請求項１および４に記載の発明によれば、感光体の外周面には、導光部材が対向配置されており、感光体の中心軸方向における側方には、光源が配置されている。光源からの光は、導光部材によって感光体の中心軸方向に沿って導かれつつ、感光体に対して中心軸方向に亘って照射される。これによって、感光体の外周面が露光され、感光体の外周面の電荷が中心軸方向に亘って除去される。
【００１５】
ここで、カバーが、導光部材において少なくとも感光体に対向する対向面が感光体へ露出されるように導光部材を被覆するので、導光部材では、光源からの光を、対向面に集中させて対向面から漏れなく感光体に照射できる。これにより、感光体の外周面の電荷を効果的に除去することができる。
【００１６】
そして、両面接着テープが、導光部材とカバーとを互いに接着することによって、導光部材とカバーとを簡易に一体化することができる。
【００１７】
この両面接着テープは、不織布を基材としていることから、その表面に微小な凹凸が形成されており、また、導光部材の対向面に対する感光体の反対側に配置されている。これにより、導光部材に導かれる光は、両面接着テープの表面の凹凸に当たって拡散することによって進行方向が変えられて対向面へ向かい、感光体に対して積極的に照射される。
【００１８】
つまり、不織布を基材とする両面接着テープによって導光部材とカバーとを互いに接着するといった簡易な構成により、導光部材やカバーに凹凸が形成されるような加工を施さなくても、導光部材に導かれる光を両面接着テープの表面の凹凸で拡散させて感光体に積極的に照射し、感光体の外周面の電荷を効果的に除去することができる。
【００１９】
請求項２および５に記載の発明によれば、導光部材に対する両面接着テープの接着面は、光源から離れるに従って、光源の光軸方向と直交する方向へ広くなっている。つまり、光源から離れるに従って両面接着テープの接着面を広くするだけの簡易な構成によって、両面接着テープは、光源から離れて光が十分に届き難い箇所において、光源から届いた光を確実に拡散させて感光体への光の照射量を十部に確保することができる。これより、感光体の中心軸方向に沿って光源から離れるに従って導光部材から感光体への光の照射量が減少することを抑制することができる。そのため、導光部材が光源からの光を感光体の中心軸方向における全領域に対して均一に照射できるので、感光体の外周面の電荷を中心軸方向に亘って均一に除去することができる。
【００２０】
請求項３および６に記載の発明によれば、導光部材において感光体に対向する対向面が曲面であるので、対向面は、レンズの機能を果たし、導光部材から感光体へ向けて照射される光を、拡散させることなく、集約して感光体に照射することができる。これにより、感光体の外周面の電荷を一層効果的に除去することができる。
【発明を実施するための最良の形態】
【００２１】
以下には、図面を参照して、本発明のプロセスカートリッジ１について説明する。
＜プロセスカートリッジの概要＞
図１は、本発明に係るプロセスカートリッジの一実施形態を示す模式的な左側断面図である。図１では、上下前後左右の方向を指し示す矢印（方向矢印）が示されており、方向を特定するのにあたって、この方向矢印を参照する（図１以降の各図においても同様）。ここで、図１における紙厚方向手前側が左側であり、図１における紙厚方向奥側が右側である。左右方向と幅方向とは同義である。水平方向は、前後方向および左右方向を含んでいる。
【００２２】
プロセスカートリッジ１は、レーザプリンタといった電子写真方式の画像形成装置（図示せず）の本体（画像形成装置本体）に装備され、画像形成の要部として機能する。
【００２３】
プロセスカートリッジ１は、ハウジング２と、現像剤収容室３と、供給ローラ４と、現像ローラ５と、層厚規制ブレード６と、感光体の一例として感光ドラム７と、帯電器８と、クリーニングローラ９と、除電装置１０とを備えている。
【００２４】
ハウジング２は、中空のボックス形状であり、ハウジング２内に、現像剤収容室３、供給ローラ４、現像ローラ５、層厚規制ブレード６、感光ドラム７、帯電器８、クリーニングローラ９および除電装置１０が配置されている。
【００２５】
現像剤収容室３は、ハウジング２内において、後側に区画された空間である。現像剤収容室３には、現像剤の一例として、たとえば正帯電性の非磁性１成分のトナーが収容されている。
【００２６】
供給ローラ４は、現像剤収容室３の下端において、中心軸が幅方向に延びた状態で、ハウジング２によって回転自在に支持されている。これにより、現像剤収容室３のトナーは、その自重によって、常に供給ローラ４の外周面上に堆積している。
【００２７】
現像ローラ５は、中心軸が幅方向に延びた状態で、ハウジング２によって回転自在に支持されており、供給ローラ４に対して前から圧接されている。
【００２８】
層厚規制ブレード６は、ハウジング２において現像剤収容室３を区画する壁２Ａから現像ローラ５へ向かって後下側へ延びる弾性体であり、その先端（下端）が、現像ローラ５の上側外周面に圧接されている。
【００２９】
感光ドラム７は、円筒形状をなし、中心軸が幅方向に延びた状態で、ハウジング２によって回転自在に支持されており、現像ローラ５に対して前から圧接されている。感光ドラム７は、図１では、反時計回りの方向へ回転する（図示太線矢印参照）。感光ドラム７の下側の外周面は、ハウジング２から下方へ露出されている。感光ドラム７の外周面（最表層）は、たとえばポリカーボネートなどからなる正帯電性の感光層によって形成されている。また、ハウジング２の上壁において感光ドラム７の上方に相当する部分には、ハウジング２の内外を連通させる連通穴２Ｂが形成されている。
【００３０】
帯電器８は、たとえばスコロトロン型であり、感光ドラム７の外周面に対して間隔を隔てて上方から対向するように、ハウジング２に支持されている。
【００３１】
クリーニングローラ９は、中心軸が幅方向に延びた状態で、ハウジング２によって回転自在に支持されており、感光ドラム７に対して前から圧接されている。クリーニングローラ９の外周面は、たとえば導電性の発泡材料によって被覆されている。クリーニングローラ９には、所定のクリーニングバイアスが印加される。
【００３２】
除電装置１０は、クリーニングローラ９の下方において、感光ドラム７の外周面に対して間隔を隔てて前方から対向するように、ハウジング２に支持されている。除電装置１０については、以降で詳説する。
【００３３】
画像形成時には、現像剤収容室３において供給ローラ４に堆積したトナーが、供給ローラ４および現像ローラ５の回転に伴って、層厚規制ブレード６の先端と現像ローラ５との間に進入して薄層となり、現像ローラ５の外周面に担持される。
【００３４】
一方、感光ドラム７の外周面は、帯電器８によって幅方向に亘って一様に正帯電された後、画像形成装置本体側（図示せず）からハウジング２の連通穴２Ｂを介して照射されるレーザビーム（図示破線矢印参照）によって露光される。これにより、感光ドラム７の外周面には、画像データに基づく静電潜像が形成される。
【００３５】
そして、感光ドラム７および現像ローラ５の回転に伴って、現像ローラ５の外周面に担持されているトナーが、感光ドラム７の外周面の静電潜像に供給される。これにより、静電潜像が現像（可視像化）されて、感光ドラム７の外周面には、トナー像が担持される。
【００３６】
このトナー像が、感光ドラム７の回転に伴ってハウジング２から下方へ露出されたときに、記録媒体１１に転写される。記録媒体１１に転写されたトナー像が熱定着されると、画像形成が完了する。
【００３７】
ここで、感光ドラム７から記録媒体１１へのトナー像の転写後に感光ドラム７の外周面上に転写残トナーが残留する場合がある。その場合、この転写残トナーは、感光ドラム７の回転中において、上述したクリーニングバイアスによって、クリーニングローラ９の外周面に転写され、クリーニングローラ９に捕獲される。そして、画像形成終了時に、クリーニングローラ９には、クリーニングバイアスとは逆方向となるバイアスが印加され、これにより、クリーニングローラ９に捕獲された転写残トナーは、クリーニングローラ９から感光ドラム７に排出された後に、現像ローラ５に回収される。
＜除電装置の詳細＞
次に、除電装置１０について詳説する。
【００３８】
図２において、図２（ａ）は、除電装置の右側面図であり、図２（ｂ）は、除電装置の背面図であり、図２（ｃ）は、図２（ｂ）のＡ−Ａ矢視断面図である。図３は、除電装置を後側から見た分解斜視図である。図４は、除電装置を前側から見た分解斜視図である。なお、図２（ａ）および図２（ｃ）では、参考のため、感光ドラム７が点線で図示されている。
【００３９】
ここで、トナー像の転写後において、感光ドラム７の外周面には電荷が残っているので、次回の画像形成時に感光ドラム７の外周面を帯電させる際に、上述したように幅方向に亘って一様に帯電できるように（帯電後の外周面の電位が幅方向に亘って均一になるように）、感光ドラム７の外周面の全ての残留電荷を予め除去しておく必要がある。そこで、除電装置１０は、感光ドラム７から記録媒体１１へのトナー像の転写が終わる毎に、次回の画像形成に備えて、感光ドラム７の外周面に残留した電荷を除去する。
【００４０】
図２（ｃ）に示すように、除電装置１０は、導光部材２０と、カバー２１と、両面接着テープ２４と、光源２２とを含んでいる。
【００４１】
図３に示すように、導光部材２０は、たとえばアクリル樹脂製の透明な棒状であり、幅方向に長手である。図２（ｃ）に示すように、導光部材２０は、感光ドラム７の外周面に対して、間隔を隔てて前から対向している。この状態で、導光部材２０の右端は、感光ドラム７の右端よりも右側にあり、導光部材２０の左端は、感光ドラム７の左端よりも左側にある。つまり、導光部材２０は、感光ドラム７の中心軸に沿って延び、感光ドラム７の外周面の幅方向全域に対して前から対向している。そして、図２（ａ）に示すように、幅方向から見た導光部材２０の形状（右側断面形状でもある。）は、４辺が上下前後のいずれかの方向に沿って延びる略正方形状であることから、導光部材２０は、幅方向に長手の四角柱である（図３も参照）。つまり、図３および図４を参照して、導光部材２０の表面は、上下左右方向に沿って延びる矩形状の前面２０Ａおよび後面２０Ｂと、前後左右方向に沿って延びる矩形状の上面２０Ｃおよび下面２０Ｄと、上下前後方向に延びる矩形状の右面２０Ｅおよび左面２０Ｆとによって区画されている。導光部材２０では、後面２０Ｂが、感光ドラム７の外周面に対して、一定の間隔を隔てて前から対向している（図２（ｃ）参照）。後面２０Ｂは、対向面の一例として機能する。
【００４２】
カバー２１は、導光部材２０に対してやや大きい相似形状であり、具体的には、導光部材２０と同様に幅方向に長手の四角柱であるが、導光部材２０と異なり、中空となっている。また、カバー２１は、導光部材２０と異なり、透明ではないことから、光を透過させない。図３に示すように、カバー２１の後面および右面は、連続して切り欠かれており、これにより、カバー２１の内部空間２３が、カバー２１の後面および右面を介して露出されている。つまり、カバー２１の右側断面形状は、後側が開放された略Ｕ字形状をなしている。そして、カバー２１の内部空間２３は、導光部材２０をちょうど収納し得る大きさを有している。ここで、カバー２１の内面（内部空間２３を区画する面）において、内部空間２３を前から区画する面を前内面２１Ａとし、内部空間２３を上から区画する面を上内面２１Ｂとし、内部空間２３を下から区画する面を下内面２１Ｃとし、内部空間２３を左から区画する面を左内面２１Ｄとする。上述したように、カバー２１の後面および右面が連続して切り欠かれているので、内部空間２３を後および右から区画する面はない。
【００４３】
前内面２１Ａは、導光部材２０の前面２０Ａと同じ大きさであり、前面２０Ａと平行に延びている。上内面２１Ｂは、導光部材２０の上面２０Ｃと同じ大きさであり、上面２０Ｃと平行に延びている。下内面２１Ｃは、導光部材２０の下面２０Ｄと同じ大きさであり、下面２０Ｄと平行に延びている。左内面２１Ｄは、導光部材２０の左面２０Ｆと同じ大きさであり、左面２０Ｆと平行に延びている。
【００４４】
また、前内面２１Ａ、上内面２１Ｂ、下内面２１Ｃおよび左内面２１Ｄは、光を良好に反射（拡散）できるように、たとえば白色で塗装されていたり、めっきが施されたりしている。なお、カバー２１自体が白色の樹脂で形成されていてもよい。
【００４５】
図１に示すように、カバー２１の前面がハウジング２に接続されていることから、除電装置１０（光源２２を除く）は、ハウジング２に支持され、プロセスカートリッジ１の一部となっている。詳しくは、カバー２１は、ハウジング２の一部として、ハウジング２と一体的に形成されている。
【００４６】
図２（ｃ）に示すように、導光部材２０は、カバー２１の内部空間２３に収納されている。このとき、導光部材２０の前面２０Ａがカバー２１の前内面２１Ａに後から対向し、導光部材２０の上面２０Ｃがカバー２１の上内面２１Ｂに下から対向し、導光部材２０の下面２０Ｄがカバー２１の下内面２１Ｃに上から対向し、導光部材２０の左面２０Ｆがカバー２１の左内面２１Ｄに右から対向している（図２（ｂ）および図３参照）。そして、図２（ａ）および図２（ｂ）に示すように、カバー２１において切り欠かれた後面から導光部材２０の後面２０Ｂが後側へ露出され、カバー２１において切り欠かれた右面から導光部材２０の右面２０Ｅが右側へ露出されている。
【００４７】
ここで、図３に示すように、導光部材２０の前面２０Ａとカバー２１の前内面２１Ａとの間に、両面接着テープ２４が介挿されている。両面接着テープ２４は、不織布を基材とし、この不織布に粘着成分を浸透させることで形成されている。そのため、両面接着テープ２４では、どの部分においても粘着性を有している。また、両面接着テープ２４の表面には、不織布によって、微小な凹凸が形成されている。
【００４８】
両面接着テープ２４は、前後方向の厚みが均一に薄く、右側から左側へ向かって次第に上下方向へ広がる左右方向に長手の二等辺三角形状である。詳しくは、この三角形状の両面接着テープ２４は、上下方向に沿って延びる第１辺２４Ａを左端に有し、この第１辺２４Ａの上端および下端のそれぞれから右側へ向かって互いに近付くように延びる２つの辺（第２辺２４Ｂおよび第３辺２４Ｃ）を有している。第２辺２４Ｂおよび第３辺２４Ｃは、長さが等しい。第２辺２４Ｂの右端と第３辺２４Ｃの右端とが繋がっており、両面接着テープ２４の右端をなしている。両面接着テープ２４の左右方向の寸法は、導光部材２０の前面２０Ａの左右方向の寸法およびカバー２１の前内面２１Ａの左右方向の寸法とほぼ等しい。また、両面接着テープ２４の第１辺２４Ａの寸法は、導光部材２０の前面２０Ａの上下方向の寸法およびカバー２１の前内面２１Ａの上下方向の寸法とほぼ等しい。なお、両面接着テープ２４は、二等辺三角形状以外の三角形状であってもよい。
【００４９】
図４（ａ）に示すように、両面接着テープ２４は、導光部材２０をカバー２１の内部空間２３に収納する際に、まず、導光部材２０の前面２０Ａとカバー２１の前内面２１Ａとの間に配置される。
【００５０】
次いで、図４（ｂ）に示すように、両面接着テープ２４の後面が、導光部材２０の前面２０Ａに前から貼り付けられる。このとき、両面接着テープ２４の第１辺２４Ａ（左端）は、導光部材２０の前面２０Ａの左側の辺（左端）と一致しており、両面接着テープ２４の右端は、導光部材２０の前面２０Ａの右側の辺（右端）と一致している。詳しくは、両面接着テープ２４の右端は、導光部材２０の前面２０Ａの右側の辺の上下方向中央と一致している。
【００５１】
最後に、両面接着テープ２４が貼り付けられた導光部材２０が、カバー２１の内部空間２３に収納され、両面接着テープ２４の前面が、カバー２１の前内面２１Ａに後からに貼り付けられる（図３も参照）。このとき、両面接着テープ２４の第１辺２４Ａ（左端）は、カバー２１の前内面２１Ａの左側の辺（左端）と一致しており、両面接着テープ２４の右端は、カバー２１の前内面２１Ａの右側の辺（右端）と一致している。詳しくは、両面接着テープ２４の右端は、カバー２１の前内面２１Ａの右側の辺の上下方向中央と一致している。これにより、導光部材２０とカバー２１とが、両面接着テープ２４によって、互いに接着されて一体化される。この状態で、カバー２１は、図２（ａ）に示すように、導光部材２０において少なくとも感光ドラム７に対向する後面２０Ｂが感光ドラム７へ向けて後側へ露出されるように、導光部材２０を被覆している。また、両面接着テープ２４は、導光部材２０において後面２０Ｂの前側に位置する前面２０Ａとカバー２１の前内面２１Ａとの間に配置されることから、導光部材２０の後面２０Ｂに対する感光ドラム７の反対側に配置されることになる。
【００５２】
光源２２は、図２（ｂ）および図２（ｃ）に示すように、導光部材２０の右側に配置されており、上述した画像形成装置本体側（図示せず）に支持され、導光部材２０の右面２０Ｅに対して間隔を隔てて右側から対向している（図４（ａ）も参照）。上述したように導光部材２０が感光ドラム７の外周面に前から対向しつつ幅方向に長手であることから、導光部材２０の右側に配置された光源２２が、画像形成装置本体（図示せず）において感光ドラム７の中心軸方向（幅方向）における側方に配置されていることがわかる。光源２２は、上述した画像形成装置本体側（図示せず）で支持されている。この状態で、光源２２は、幅方向に沿って左側へ光を発することができる。つまり、図２（ｂ）に示すように、光源２２の光軸２２Ａが延びる方向（光軸方向）は、幅方向であり、感光ドラム７の中心軸が延びる方向（図２（ｃ）参照）と平行である。
【００５３】
ここで、上述した両面接着テープ２４は、右側から左側へ向かって次第に上下方向へ広がっているので（図３参照）、導光部材２０に対する両面接着テープ２４の接着面（後面）は、光源２２から左側へ離れるに従って、光源２２の光軸方向（幅方向）と直交する方向（上下方向）へ広くなっている。
【００５４】
このような構成の除電装置１０は、上述したように、感光ドラム７から記録媒体１１へのトナー像の転写後に作動する。
【００５５】
具体的には、図２（ｃ）を参照して、トナー像の転写後に光源２２が発光し、光源２２からの光が幅方向に沿って左側へ進行する。そして、この光は、導光部材２０の右面２０Ｅから導光部材２０内に入射され、導光部材２０内を幅方向に沿って引き続き左側へ進行する。この際、上述したように少なくとも後面２０Ｂが後側の感光ドラム７へ露出されるようにカバー２１が導光部材２０を被覆しているので、導光部材２０内を左側へ進行する光のうち、一部が、導光部材２０において後面２０Ｂから後側へ自然に漏れる。このように後側へ自然に漏れる光には、進行途中にカバー２１の内面（前内面２１Ａ、上内面２１Ｂ、下内面２１Ｃおよび左内面２１Ｄ）で反射して、後面２０Ｂから後側へ進行する光も含まれる。
【００５６】
また、導光部材２０内を左側へ進行する光のうち、両面接着テープ２４に差し掛かった光は、両面接着テープ２４の後面（詳しくは両面接着テープ２４を構成する不織布によって形成された両面接着テープ２４の後面の凹凸）に当たって拡散することで進行方向が後向きに変わる。これにより、この光は、導光部材２０において後側の感光ドラム７へ露出された後面２０Ｂを経て、後側へ進行する。
【００５７】
このように進行途中に後面２０Ｂから後側へ自然に漏れた光と両面接着テープ２４に拡散されて後側へ進行する光とが合わさって、引き続き後側へ進行し、感光ドラム７の外周面に照射される。そして、このように導光部材２０から感光ドラム７の外周面に光が照射されることにより、感光ドラム７が、光が照射された部分において露光されるので、この部分の残留電荷が除去される。
【００５８】
ここで、光源２２からの光は、光源２２から遠くなるほど、届き難い。そのため、導光部材２０内に入射された光は、導光部材２０において光源２２から遠い左側領域ほど届き難い。これに応じて、導光部材２０内に入射された光のうち、進行途中に導光部材２０の後面２０Ｂから後側へ自然に漏れる光の量も、光源２２から遠い左側へ向かうほど、少なくなる。この場合、導光部材２０から感光ドラム７に照射される光の量（照射量）が、光源２２から遠い左側へ向かうほど、少なくなり得る。
【００５９】
そこで、この照射量が光源２２から遠くなっても減少しないように、両面接着テープ２４が機能する。具体的には、上述したように、両面接着テープ２４は、右側から左側へ向かって次第に上下方向へ広がっているので（図３および図４参照）、光源２２から遠い左側へ向かうほど、導光部材２０内を進行する光の大部分を後側へ拡散することができる。そのため、光源２２から遠い左側へ向かうに従って、進行途中に導光部材２０の後面２０Ｂから後側へ自然に漏れる光の量が減少しても、代わりに、両面接着テープ２４に拡散されて後側へ進行する光の量が増加する。
【００６０】
これにより、光源２２から遠い左側へ向かっても、進行途中に後面２０Ｂから後側へ自然に漏れる光の量と両面接着テープ２４に拡散されて後側へ進行する光の量との合計はほとんど減少しないので、導光部材２０から感光ドラム７に照射される光の照射量は、幅方向に亘ってほぼ均一となる。これにより、この除電装置１０では、感光ドラム７の外周面の残留電荷を幅方向において均一に除去することができる。
【００６１】
このように導光部材２０が光源２２からの光を感光ドラム７に対して幅方向全域に亘って均一に照射できるように導く。そして、この状態で、トナー像の転写後に感光ドラム７が回転することによって、導光部材２０からの光が感光ドラム７に対して周方向における全域に照射される。これにより、最終的に、感光ドラム７の外周面の全ての残留電荷が均一に除去される。
＜作用効果＞
（１）以上のように、このプロセスカートリッジ１では、感光ドラム７の外周面には、導光部材２０が対向配置されており、感光ドラム７の中心軸方向（幅方向）における側方には、光源２２が配置されている。光源２２からの光は、導光部材２０によって感光ドラム７の中心軸方向に沿って導かれつつ、感光ドラム７に対して中心軸方向に亘って照射される。これによって、感光ドラム７の外周面が露光され、感光ドラム７の外周面の電荷が中心軸方向に亘って除去される。
【００６２】
ここで、カバー２１が、導光部材２０において少なくとも感光ドラム７に対向する後面２０Ｂが感光ドラム７へ露出されるように導光部材２０を被覆するので（図２（ａ）および図２（ｂ）参照）、導光部材２０では、光源２２からの光を、後面２０Ｂに集中させて後面２０Ｂから漏れなく感光ドラム７に照射できる。これにより、感光ドラム７の外周面の電荷を効果的に除去することができる。
【００６３】
そして、両面接着テープ２４が、導光部材２０とカバー２１とを互いに接着することによって、導光部材２０とカバー２１とを簡易に一体化することができる。
【００６４】
この両面接着テープ２４は、不織布を基材としていることから、その表面に微小な凹凸が形成されており、また、導光部材２０の後面２０Ｂに対する感光ドラム７の反対側に配置されている。これにより、導光部材２０に導かれる光は、両面接着テープ２４の表面の凹凸に当たって拡散することによって進行方向が変えられて後面２０Ｂへ向かい、感光ドラム７に対して積極的に照射される。
【００６５】
つまり、不織布を基材とする両面接着テープ２４によって導光部材２０とカバー２１とを互いに接着するといった簡易な構成により、導光部材２０やカバー２１に凹凸が形成されるような加工を施さなくても、導光部材２０に導かれる光を両面接着テープ２４の表面の凹凸で拡散させて感光ドラム７に積極的に照射し、感光ドラム７の外周面の電荷を効果的に除去することができる。
（２）導光部材２０に対する両面接着テープ２４の接着面（後面）は、光源２２から離れるに従って、光源２２の光軸方向（幅方向）と直交する上下方向へ広くなっている（図３および図４参照）。つまり、光源２２から離れるに従って両面接着テープ２４の接着面を広くするだけの簡易な構成によって、両面接着テープ２４は、光源２２から離れて光が十分に届き難い箇所において、光源２２から届いた光を確実に拡散させて感光ドラム７への光の照射量を十分に確保することができる。これより、感光ドラム７の中心軸方向に沿って光源２２から離れるに従って導光部材２０から感光ドラム７への光の照射量が減少することを抑制することができる。そのため、導光部材２０が光源２２からの光を感光ドラム７の中心軸方向における全領域に対して均一に照射できるので、感光ドラム７の外周面の電荷を中心軸方向に亘って均一に除去することができる。
＜変形例＞
図５は、図２（ａ）に変形例を適用した図である。図６は、図１の要部に別の変形例を適用した図である。
【００６６】
上述した実施形態では、図２（ａ）に示すように、幅方向から見た導光部材２０の形状（右側断面形状）は、４辺が上下前後のいずれかの方向に沿って延びる略正方形状である。つまり、上記した実施形態の導光部材２０では、前面２０Ａ、後面２０Ｂ、上面２０Ｃおよび下面２０Ｄが、上下前後のいずれかの方向に沿って延びる平坦面である。
【００６７】
ここで、導光部材２０の右側断面形状は、正方形状でなくてもよく、たとえば、前後方向に長手の矩形状であってもよい。つまり、導光部材２０は、平板形状であってもよい。
【００６８】
さらに、図５に示すように、後面２０Ｂ、上面２０Ｃおよび下面２０Ｄが幅方向から見て湾曲していても良い。
【００６９】
具体的には、図５（ａ）では、前面２０Ａは平坦なままだが、後面２０Ｂ、上面２０Ｃおよび下面２０Ｄは、滑らかに湾曲しながら連続しており、一体となって、後側へ膨出する円弧形状をなしている。また、図５（ｂ）では、前面２０Ａ、上面２０Ｃおよび下面２０Ｄは平坦なままだが、後面２０Ｂだけが、後側へ膨出する円弧形状をなしている。つまり、図５では、導光部材２０において、後面２０Ｂが、後側へ膨出する円弧状の曲面をなしてレンズの機能を果たし、上述したように導光部材２０から感光ドラム７へ向けて後側に照射される光（図２（ａ）参照）を、放射状に拡散させることなく、集約して感光ドラム７へ向けて照射することができる。これにより、感光ドラム７の外周面の電荷を一層効果的に除去することができる。
【００７０】
また、上記の実施形態では、カバー２１は、後面２０Ｂおよび右面２０Ｅだけが露出されるように導光部材２０を被覆しており（図２参照）、また、ハウジング２の一部として、ハウジング２と一体的に形成されている（図１および図６（ａ）参照）。
【００７１】
このような上記の実施形態に限らず、カバー２１は、図６（ｂ）に示すように、後面２０Ｂおよび右面２０Ｅに加えて下面２０Ｄも露出されるように、導光部材２０を被覆してもよい。
【００７２】
また、図６（ｃ）に示すように、カバー２１が、ハウジング２とは別体で構成されていてもよい。
【００７３】
上記の実施形態では、感光ドラム７をレーザによって露光させて静電潜像を形成する構成のレーザプリンタを例示したが、本発明は、帯電させた感光ドラム７に静電潜像を形成することで画像形成をおこなう全てタイプの電子写真方式の画像形成装置に適用可能である。
【図面の簡単な説明】
【００７４】
【図１】本発明に係るプロセスカートリッジの一実施形態を示す模式的な左側断面図である。
【図２】図２（ａ）は、除電装置の右側面図であり、図２（ｂ）は、除電装置の背面図であり、図２（ｃ）は、図２（ｂ）のＡ−Ａ矢視断面図である。
【図３】除電装置を後側から見た分解斜視図である。
【図４】除電装置を前側から見た分解斜視図である。
【図５】図２（ａ）に変形例を適用した図である。
【図６】図１の要部に別の変形例を適用した図である。
【符号の説明】
【００７５】
１      プロセスカートリッジ
７      感光ドラム
１０    除電装置
２０    導光部材
２０Ｂ  後面
２１    カバー
２２    光源
２４    両面接着テープ
【図１】
2010008570.tif 000003
【図２】
2010008570.tif 000004
【図３】
2010008570.tif 000005
【図４】
2010008570.tif 000006
【図５】
2010008570.tif 000007
【図６】
2010008570.tif 000008